(57)【要約】【課題】本発明は、電源器を小型にして過大な電流が検知された場合であっても、搬送時間が短く効率的な搬送ができるコンベア装置を提供することを目的とした。【解決手段】搬送方向に並ぶ複数のゾーンに区分され、各ゾーンには少なくとも１の駆動用モータ１４が設けられたコンベア装置１であって、駆動用モータ１４に電力を供給する電源器１１と、電源器１１からの出力電流を監視する電流監視手段１２とを有した回路構成を備えており、電源器１１の過大な電流値を検知した場合には、その電源器１１が支配するゾーンの中で、最上流に位置する駆動用モータ１４を停止する構成とする。【選択図】図２
2010006526.tif 000002
【特許請求の範囲】
【請求項１】
搬送方向に並ぶ複数のゾーンに区分され、各ゾーンには少なくとも１つの駆動用モータが設けられたコンベア装置であって、
前記駆動用モータに電力を供給する電源器を有し、
当該電源器が複数のゾーンに設けられた駆動用モータに対して電力を供給する回路構成を備えたコンベア装置において、
前記電源器からの出力電流を監視する電流監視手段を備え、
前記電流監視手段が前記電源器の過大な電流を検知した場合には、前記電源器が電力を供給する駆動用モータの中で、最も搬送方向上流側のゾーンに設けられた駆動用モータを停止することを特徴とするコンベア装置。
【請求項２】
最も搬送方向上流側のゾーンに設けられた前記駆動用モータを停止しても尚電流監視手段が前記電源器の過大な電流を検知した場合には、最も搬送方向上流側のゾーンに設けられた駆動用モータに加えて、下流方向に隣接するゾーンに設けられた駆動用モータも停止することを特徴とする請求項１に記載のコンベア装置。
【請求項３】
駆動用モータの停止は、電源器から当該駆動用モータに対する電力供給を停止することにより行い、ゾーン上に被搬送物が存在するか否かを検知する被搬送物検知手段を有し、停止した駆動用モータ以外の駆動用モータが設けられたゾーンに被搬送物が存在しなくなったことを条件として、停止中の駆動用モータに電力を供給することを特徴とする請求項１又は２に記載のコンベア装置。
【発明の詳細な説明】
【技術分野】
【０００１】
本発明は、複数のモータを搭載したコンベア装置に関するものであり、特に装置全体における電源器の容量を縮減できるものに関する。
【背景技術】
【０００２】
コンベア装置は、従来からモータを駆動源として被搬送物を搬送するものである。詳しくは、モータによってベルトやローラあるいはチェーンを回転させ、搬送ライン上の被搬送物を搬送するものである。
【０００３】
ところで交流のモータを駆動源とする場合には、商用電源がそのままモータに供給されるが、低圧の直流によって駆動されるモータを使用する場合には、整流回路や定電圧回路を備えた電源器が電源として使用される。
そして一つの電源器から複数のモータに電力が供給される。
そのため電源器の理想的な容量は、搬送ライン上の全てに、モータが搬送できうる最大重量の被搬送物が置かれたときにモータを駆動できる容量である。つまり電源器は、その様な過酷な運転状況においても、効率的に搬送できる容量を備えることが望ましい。しかし実際のコンベア装置の使用状況を勘案すると、そのような過酷な運転状況はむしろ希である。
【０００４】
従って上記した様な容量を備える電源器は、日常的な運転状況を考えると過剰品質であるといえる。
そこで上記した状況に鑑み、コンベアの製造コストを低減させることを目的として、小型で低容量の電源器を使用する方策が考えられる。ところが、実際上、突発的に大きな被搬送物が搬送されたり、大量の搬送物が連続的に搬送される場合もあり、この様な一定の条件により過大な電流が必要となる場合が生じ、低容量の電源器を使用した場合には、電源器の容量不足によりコンベア装置が正常に機能しない事態が想定される。
【０００５】
特許文献１には、コントローラに流れる電流を監視し、その電流が一定値に達すると１つの電源器が駆動できるモータの範囲内で、被搬送物の搬送を停止させることなく、搬送方向上流側に流れる電流を制限し、下流側の被搬送物を優先的に搬送可能とした発明が開示されている。
【特許文献１】特許第３３６８５６３号公報
【発明の開示】
【発明が解決しようとする課題】
【０００６】
上記した特許文献１に記載の発明は、電源器の容量を小型にし、各ゾーンに設けられたコントローラに流れる電流を監視し、それぞれの前記コントローラに繋がれたモータに流れる電流を制御する。その制御は、コントローラに流れる過大な電流を検知した場合、１つの当該電源器によって支配される複数のゾーンの内、搬送ラインに存在する被搬送物のうち最も下流側のゾーンに対して許容電流値のうちの最大電流を供給する。さらに、その下流にゾーンがある場合は、そのゾーンに対して許容電流値のうちの最大電流より小さい中間電流を供給し、搬送ラインに存在する被搬送物のうち最下流のゾーンよりも１つ上流側に存在する被搬送物のゾーンに対して許容電流値のうちの最小電流を供給する。
【０００７】
具体的には、図６（ａ）に示すように、電源器は太線に繋がれたモータにのみ電流を供給する。つまり、過大な電流を検知した場合は、前記した制御によると、ゾーンＥに最大電流、ゾーンＦに中間電流、ゾーンＤに最小電流が供給される。さらに、図６（ｂ）に示すように、被搬送物のそれぞれが下流側のゾーンに移動したときは、１つの電源器が支配するゾーンの最下流のゾーンＦに最大電流が供給され、最下流のゾーンよりも１つ上流側に存在する被搬送物のゾーンＥに中間電流が供給される制御がされる。
【０００８】
つまり、特許文献１に記載の発明は、電源器を小型にできるが、コントローラの過大な電流を検知したときに実行される制御により、１つの電源器が支配するゾーンのうち２つのゾーンの被搬送物だけが下流側に搬送される。つまり、搬送される被搬送物の量が極端に少なくなり、搬送に時間が掛かるため効率よく短時間に搬送することが困難であった。
【０００９】
そこで本発明は、上述した欠点に鑑み、電源器を小型にして過大な電流が検知された場合であっても、搬送時間が短く効率的な搬送ができるコンベア装置を提供することを課題とする。
【課題を解決するための手段】
【００１０】
上記課題を解決するため、請求項１の発明は、搬送方向に並ぶ複数のゾーンに区分され、各ゾーンには少なくとも１つの駆動用モータが設けられたコンベア装置であって、前記駆動用モータに電力を供給する電源器を有し、当該電源器が複数のゾーンに設けられた駆動用モータに対して電力を供給する回路構成を備えたコンベア装置において、前記電源器からの出力電流を監視する電流監視手段を備え、前記電流監視手段が前記電源器の過大な電流を検知した場合には、前記電源器が電力を供給する駆動用モータの中で、最も搬送方向上流側のゾーンに設けられた駆動用モータを停止することを特徴とするコンベア装置である。
【００１１】
本発明におけるコンベア装置は、１又は２以上のゾーン毎に設けられた電源器の出力電流を監視する電流監視手段が設けられているため、電源器における過大な電流を検知できる。そして電源器の過大な出力電流値を検知すると、その電源器が支配するゾーンのうちの最上流のゾーンのモータを停止する。そのため、実質的に電源器の過度の負担が解消される。言い換えると、電源器が供給し得る電流値に収まる。
また、被搬送物は下流側優先に搬送されるが、前記した搬送方向最上流のモータが停止するだけであるため、搬送の効率は極端に低くならない。そのため、搬送に多くの時間を要さない。
つまり、本発明であれば、電源器の容量を縮減（電源器の小型化）することができ、製造コストの削減を実行することができる。
【００１２】
請求項２の発明は、請求項１の発明において、最も搬送方向上流側のゾーンに設けられた前記駆動用モータを停止しても尚電流監視手段が前記電源器の過大な電流を検知した場合には、最も搬送方向上流側のゾーンに設けられた駆動用モータに加えて、下流方向に隣接するゾーンに設けられた駆動用モータも停止することを特徴とするコンベア装置である。
【００１３】
請求項２のコンベア装置では、電流監視手段が過大な電流値を検知した場合、１つの電源器が支配するゾーンのうちの最上流のゾーンのモータを停止し、それでも過大な負担が解消されない場合は、さらにその下流側のゾーンのモータを停止させて搬送を行う。つまり、より大きな負荷があった場合でも、下流側の搬送が優先であるが、搬送の効率を極端に低くしないため搬送に大きな時間を要しない。そのため、過重量の被搬送物が複数存在する場合等でも下流側優先に効率的に被搬送物を搬送することができる。
要するに、電流監視手段が過大電流検知した場合は、前記電源器が支配するゾーンのうち最上流のモータに加え、それに隣接する下流方向のモータを順番に停止させることで、電源器の過負荷状態が短時間で解消され、効率的な搬送を継続して行うことができる。
【００１４】
また請求項３に記載の発明は、請求項１又は２の発明において、駆動用モータの停止は、電源器から当該駆動用モータに対する電力供給を停止することにより行い、ゾーン上に被搬送物が存在するか否かを検知する被搬送物検知手段を有し、停止した駆動用モータ以外の駆動用モータが設けられたゾーンに被搬送物が存在しなくなったことを条件として、停止中の駆動用モータに電力を供給するコンベア装置である。
【００１５】
請求項３のコンベア装置は、被搬送物検知手段によって、各ゾーンに被搬送物が存在するか否かを検知することができる。つまり、本発明の制御を実行するにあたって、被搬送物検知手段を実行することで、より効率的な搬送が実行できる。
詳しくは、電源器の過大な電流が検知され、その電源器が支配するゾーンのうちの最上流側からモータが停止される制御が実行されると、それ以外の駆動しているモータのゾーンに存在する被搬送物が下流側に搬送される。つまり、その電源器が支配する下流側の被搬送物が優先的に搬送されることになる。そして優先的に搬送される被搬送物の全てが、下流方向に隣接する電源器が支配するゾーンへの移動したことが被搬送物検知手段によって確認されると、停止していたゾーンのモータに再び電流が供給される。
このような制御が行われるため、本発明の装置における搬送は、搬送ライン上で被搬送物同士が衝突することがない。
【発明の効果】
【００１６】
本発明のコンベア装置は、電流監視手段が電源器の過大な電流を検知した場合に、その電源器が支配する搬送方向最上流に位置するモータを停止させ、その電源器の過負荷を解消できる。そのため比較的小さい容量の電源器であっても一時的な過積載状態を解消することができ、電源器の最大容量を縮減することが可能で、さらには、搬送効率を極端に低くすることがないため、効率的に被搬送物を搬送することができる。
【発明を実施するための最良の形態】
【００１７】
次に本発明の実施形態であるコンベア装置１について図面を参照しながら詳細に説明する。図１は、本発明の実施形態であるゾーン式制御を実施し得るコンベア装置１を示したもので、１本の搬送ラインを備えている。まず、コンベア装置１の一般的な構成等について説明する。
【００１８】
搬送ラインは、搬送方向に並ぶゾーンａ，ゾーンｂ及びゾーンｃ・・・を含む複数の制御ゾーンに区分されており、各制御ゾーンａ，ｂ，ｃは、各々一つのコンベアユニット２ａ，２ｂ，２ｃを構成している。
【００１９】
コンベアユニット２ａ，２ｂ，２ｃは、平行に配置された左右の一対のサイドフレーム３，３間に被搬送物を搬送する複数の搬送ローラ４を搬送方向に所定間隔で軸支されたものである。この搬送ローラ４は、自由に回転する従動ローラ４ｂと、電源器により電流を供給される駆動用モータ１４を内蔵するモータ内蔵ローラ４ａとからなり、隣接する搬送ローラ４同士は伝導ベルト５で巻回されている。そのため、モータ内蔵ローラ４ａの回転駆動力を全ての従動ローラ４ｂに伝導することができる。本実施形態では、ユニットの中央部に一つのモータ内蔵ローラ４ａを配し、他は従動ローラ４ｂとしている。後記する様に、一つの電源器は、１又は２以上の駆動用モータ（モータ内蔵ローラ４ａ内のモータ）１４に電力を供給するものである。
【００２０】
コンベア装置１は、図２の様に３基の電源器１１Ａ，１１Ｂ，１１Ｃを備えている。そして電源器１１Ａ，１１Ｂ，１１Ｃそれぞれから複数のゾーンのａ，ｂ，ｃ・・・の構成要素たる駆動用モータ（ゾーン内に一個ずつ設けられたモータ内蔵ローラ４ａ内のモータ）１４に電力が供給される。
すなわち本実施形態では、複数のゾーンを１組としたパーティに１つの電源器１１を設けており、原則として１つの電源器１１は、支配するパーティの駆動用モータ１４に対してのみ電力を供給する。ただし、本実施形態の特徴として、一定条件の下、電源器１１が支配するゾーンのうちの最上流のモータ、つまりパーティの中の搬送方向最上流に位置するモータを停止させる制御を有している。またこの回路には、電源器１１の出力電流を検知できる電流監視手段１２が設けられている。
【００２１】
また、コンベアユニット２ａ，２ｂ，２ｃには、それぞれのモータ内蔵ローラ４ａ内の駆動用モータ１４の駆動制御を行うゾーンコントローラ（図示しない）が設けられている。このゾーンコントローラは、隣接するコントローラ及び後述する上位制御手段１３と信号線（図示しない）によって接続されている。つまり、ゾーンコントローラは、上位制御手段１３からのＲＵＮ／ＳＴＯＰ信号やＣＷ／ＣＣＷ信号（搬送方向を示す信号）などの外部入力信号を受けて、モータに信号を生成送出することができる。
さらに、ゾーンコントローラでは、一斉搬送モード、分離搬送モードに切り替えることが可能である。なお、これらのモードについては、本発明には直接関係しないので説明を省略する。
【００２２】
また搬送ラインの運転状態は、プログラマブルロジックコントローラ（Ｐ．Ｌ．Ｃ）などにより構成される上位制御手段１３によって集中管理される。上位制御手段１３からそのライン全体を運転するか停止するかを示すＲＵＮ／ＳＴＯＰ信号や、搬送方向を示すＣＷ／ＣＣＷ信号などの指令信号（外部入力信号）が供給され、これらの指令信号に基づいて搬送ライン全体の動作の制御が行われる。
【００２３】
また、搬送ラインにおける各制御ゾーンａ，ｂ，ｃ・・・は、各々センサの検知信号や、上下流の制御ゾーンから伝送される信号などに基づいて独立した搬送制御を行いつつ、搬送ラインとしての連携した搬送を確保している。
【００２４】
制御ゾーンａには、被搬送物検知手段１６ａが設けられており、その被搬送物検知手段１６ａは在荷センサＳａ及び発光素子６で構成されている。
在荷センサＳａは、サイドフレーム３上に設けられている。在荷センサＳａとしては光電センサを用いることができ、対向するサイドフレーム３に発光ダイオードや赤外線ダイオード等の発光素子６を設けておく。これにより、被搬送物が搬送されてくると、発光素子６からの光が遮られて光電センサがオン／オフされ、被搬送物が所定位置まで搬送されたことを検知することが可能である。
【００２５】
すなわち、在荷センサＳａの出力を制御ゾーンａの被搬送物の有無を示す在荷信号として利用している。なお、ゾーンｂ，ｃの各コンベアユニットにも、在荷センサＳａと同様の在荷センサＳｂ，Ｓｃが設けられており、これらのセンサＳｂ，Ｓｃの対向した位置には発光素子６が各々設けられている。これらの在荷センサＳａ，Ｓｂ，Ｓｃは、被搬送物の存在を検知するとオン（Ｈレベル）信号を出力し、被搬送物が存在しない場合にはオフ（Ｌレベル）信号を出力する。
【００２６】
上記構成に加え、本実施形態のコンベア装置１における特有の構成について説明する。
【００２７】
本実施形態では、各電源器１１の出力電流を電流監視手段１２によって監視し、その電流の状況を上位制御手段１３に報知している。そして、電源器１１と各ゾーンの駆動用モータとの間には、図３に示すようにリレースイッチ１５が設けられており、通常は閉鎖状態にある。ただし、電流監視手段１２が過大な電流を検知した際に、搬送方向上流側のリレースイッチ１５が開放される。また、制御された電源器１１が支配する複数のゾーンにおいて、被搬送物検知手段１６によって、停止したゾーン以外の各ゾーンに被搬送物が存在するか否かが検知され、停止したゾーン以外の各ゾーンに被搬送物が無ければ、停止された駆動用モータ１４に再び電流が供給される。
このような構成とすることで、上位制御手段１３において、過大な電流が検知された電源器１１を常に把握することができ、電源器１１の過大な負荷を効率的に解消できる。さらに被搬送物検知手段１６よる被搬送物の有無の検知により、停止させた駆動用モータ１４への電流の供給も迅速に再開でき、効率的に短い時間での搬送が可能となる。
【００２８】
このような構成を有した実施例を図２〜５を用いて詳細に説明する。さらに、それぞれの制御についても加えて説明する。
【００２９】
図２は、図１に示すコンベア装置に採用される電源器の接続を示す回路図である。図３，４は、電流監視手段１２Ｂが過大電流を検知した場合の電流の流れ及び被搬送物の搬送状況を示す説明図である。図５は、電流監視手段１２が過大電流を検知した場合の制御のフローチャート図である。
図２に示す回路は、３個の電源器１１Ａ，１１Ｂ，１１Ｃを備え、各電源器１１Ａ，１１Ｂ，１１Ｃの出力電流を検知する電流監視手段１２Ａ，１２Ｂ，１２Ｃが設けられている。
【００３０】
そして１つの上位制御手段１３に３つ電流監視手段１２Ａ，１２Ｂ，１２Ｃが接続されており、１つの電源器１１には１パーティ（各電源器１１によって電力が供給される駆動用モータ１４の組）の駆動用モータ（ゾーン内に一個ずつ設けられたモータ内蔵ローラ４ａ内のモータ）１４が接続されている。さらに、本実施例の回路は、各駆動用モータ１４がＲＵＮ／ＳＴＯＰ可能な構成であり、電源器１１と各駆動用モータとの間には、図３，４の様にリレースイッチ１５が設けられている。
【００３１】
また各ゾーンコントローラ（図示せず）は、上位制御手段１３からのＲＵＮ／ＳＴＯＰ信号を受信し、各駆動用モータ１４を制御する。これにより各電源器１１が支配するパーティの上流側の駆動用モータ１４を効率的に停止できる回路となる。
また、１パーティに含まれる駆動用モータ１４は、１又は２以上の数であり各パーティは同数であるとは限らない。本実施例では、電源器１１が３個であるためにパーティ数は３である。そして各パーティ３０，３１，３２の駆動用モータの数は、上流側の電源器１１Ａが支配する第一パーティ３０が７つ（７個のゾーンａ，ｂ，ｃ，・・・を構成する７つのモータ１４ａ，１４ｂ・・）であり、電源器１１Ｂが支配する第二パーティ３１は６つ（６個のゾーンａ，ｂ，ｃ，・・・を構成する６個のモータ１４ａ，１４ｂ・・）であり、電源器１１Ｃが支配する第三パーティ３２は７つ（７個のゾーンを構成する７つのモータ１４ａ，１４ｂ・・）としている。さらに、それぞれのパーティに存在するゾーンの数に対応する数のリレースイッチ１５（リレースイッチ１５ａ，１５ｂ・・・）を有する回路構成である。
【００３２】
上記構成の実施例では、各電流監視手段１２Ａ，１２Ｂ，１２Ｃが検知する電流値により、それぞれ対応する電源器１１が支配する複数のゾーン、いわゆるパーティの中で搬送方向最上流の駆動用モータ１４を停止する制御が働く。つまり、電流監視手段１２が検知する電流値により、搬送方向最上流側の駆動用モータ１４をＲＵＮ／ＳＴＯＰさせる制御が働く。このとき、搬送方向下流側の搬送が優先的に行われる。
【００３３】
ここで本実施形態のコンベア装置１は、通常、電源器１１が有する容量内で運転しており、一定条件の下、図５に示す制御が働く構成である。したがって、図５の制御フローを用いて説明する。
ＳＴＥＰ１では電流監視手段１２によって過大な電流が検知されるとＳＴＥＰ２へ進む。またこのとき電流監視手段１２が過大な電流を検知しなければ再びＳＴＥＰ１に戻り、各電源器１１の電流監視が続けられる。要するに通常運転を維持し、各電源器１１のそれぞれが支配するパーティの複数の駆動用モータ１４に平均的に電流を供給する。
【００３４】
ＳＴＥＰ２では、ＳＴＥＰ１で検知された電源器１１が支配するパーティのうちの搬送方向最上流のゾーンの駆動用モータ１４が停止される。例えば図２において、中央の電源器１１Ｂの電流が過大となったことを電流監視手段１２Ｂが検知すると、電源器１１Ｂが支配するパーティに制御が働く。つまり、電源器１１Ｂが支配する搬送ラインにおいて、電流監視手段１２Ｂが過大な電流値を検知すると、最上流のゾーンａに電流が供給されなくなる。つまり、リレースイッチ１５ａが開放され、電流が遮断される。
【００３５】
その結果、図３（ａ）の太線で示す回路に電流が流れる。すなわちゾーンａに設けられた駆動用モータ１４ａは、リレースイッチ１５ａが開放されることで停止され、その他のゾーンｂ〜ｆに接続されたリレースイッチ１５ｂ〜１５ｆの閉鎖は維持されるため電流の供給が維持される。
【００３６】
その結果、図３（ｂ），（ｃ）の様にゾーンｂ，ｃ，ｄ，ｅ，ｆが駆動し、ゾーンｂ，ｃ，ｄ，ｅ，ｆ上の搬送物は下流側に搬送されてゆく。
すなわち過大な電流が流れた第二パーティ３１の電源器１１Ｂの負担が、最上流側ゾーン（ゾーンａ）の駆動用モータ１４ａの停止により実質的に解消され、他のゾーンｂ，ｃ，ｄ，ｅ，ｆの駆動モータ１４ｂ，ｃ，ｄ，ｅ，ｆが回転し得る状態となる。
【００３７】
そして、ＳＴＥＰ３では再度その電源器１１Ｂの出力電流を検知する。このとき、電流検知手段１２Ｂによって再度過大な電流値が検知されると、ＳＴＥＰ４’に進み最上流のゾーンａに加え、下流方向に隣接するゾーンｂの駆動用モータ１４ｂを停止する（図４参照）。すなわちリレースイッチ１５ｂをオフにする。そして再びＳＴＥＰ３に戻り、電流検知手段１２Ｂの電流を調べる。その結果、いまだに電源器１１Ｂの出力電流が過大であると検知されれば、さらに下流のゾーンｃの駆動用モータ１４ｃが停止される。すなわちリレースイッチ１５ｃをオフにする。例えば、図４（ａ）に示すように、電源器１１Ｂが支配する全てのゾーンに被搬送物が載っている場合、最上流の駆動用モータ１４ａの停止だけでは電源器１１Ｂの過大な負荷は解消されず、図４（ｂ）に示すように駆動用モータ１４ｂの駆動用モータも停止して負荷を解消しようとする。図４には図示しないが、駆動用モータ１４ａと駆動用モータ１４ｂを停止しても電源器１１Ｂの出力電流が過大である場合は、駆動用モータ１４ｃへの電力供給を停止する。
【００３８】
要するに、最上流側の駆動用モータ１４ａを停止することで電源器１１Ｂの過大な負担が解消し、下流側の被搬送物は円滑に搬送されるはずであるが、被搬送物の量などによってはそうでない場合もある。そのためＳＴＥＰ３では、電源器１１Ｂの過大な負担が解消されるまで、引き続き電流の監視が行われる。そして、ＳＴＥＰ３の動作で過大な電流が検知されなければ、ＳＴＥＰ４に進み、被搬送物検知手段１６により、電源器１１Ｂが支配するゾーンのうち電力供給可能な駆動用モータ１４のゾーン上に、被搬送物が存在するか否かが確認される。すなわち電力供給停止した駆動用モータ以外の駆動用モータが設けられたゾーンに被搬送物が存在しなくなったことを確認する。
【００３９】
つまり搬送方向下流側が優先され、下流側の被搬送物がさらに下流側に送られる。詳しくは、下流側を優先的に搬送することで、搬送ラインの中途で被搬送物が衝突し、詰まることを防ぐためである。つまり、図３（ｂ），図４（ｂ）に示すように、被搬送物が存在すれば、電源器１１Ｂの下流側の電源器１１Ｃが支配するパーティに被搬送物が搬送されるまでステップ４の被搬送物の有無の確認作業が行われる。
【００４０】
そして、パーティ３１における駆動可能な（スイッチ１５がオン状態）駆動用モータ１４に対応するゾーン上の全ての被搬送物が下流側に搬送されると、ＳＴＥＰ５に進み、再びパーティ３１を支配する電源器１１Ｂの電流値を監視する。このときは、電源器１１Ｂが未だ過大な電流値を維持していれば、この過大な負荷が解消されるまで電流監視手段１２Ｂにより監視が続く。そして、過大な電流値が検知されなくなれば、ステップ６に進み、制御により停止された駆動用モータ１４に電流が再び供給される。つまり、図３（ｃ），図４（ｃ）に示すように、下流側の全ての被搬送物が下流方向に隣接する電源器１１ｃのパーティ３２に移動すると、ゾーンａの駆動用モータ１４ａ、あるいは駆動用モータ１４ａ及び１４ｂに再び電流が供給され、円滑に通常運転を行い、再びＳＴＥＰ１からの動作が行われる。
【００４１】
以上の様に、例えば、図２に示す電源器１１Ｂが過大な電流を出力し、電流監視手段１２Ｂによりその値が検知された場合、上位接続手段１３からＳＴＯＰ信号が発信される。詳しくは、電源器１１Ｂが支配するパーティのゾーンのうちの最上流に位置する駆動用モータ１４ａが停止され、その下流側の被搬送物が優先的に搬送される。しかし、それでも電源器１１Ｂの出力電流が過大であると検知された場合、さらに下流側の駆動用モータ１４ｂ等のゾーンコントローラにＳＴＯＰ信号が生成発信される。つまり、停止させた駆動用モータ１４ａの下流方向に隣接するゾーンの駆動用モータ１４ｂから順番に、下流方向側の駆動用モータ１４が停止される。
そして、それを受信した各前記ゾーンコントローラは、対応する駆動用モータ１４を停止する。これにより、電源器１１Ｂの過大な負担が解消され、被搬送物の円滑な搬送が行われる。つまり、電源器１１Ｂの容量を縮減して過大な電流が検知された場合であっても、搬送効率が低下することなく短い時間で効率的な搬送を行うことができる。
【００４２】
また、この被搬送物がパーティ３２に移動した際も前記した制御が同様に行われる。このような構成とすることで、電源器１１の負荷が過大になっても、最上流の駆動用モータ１４ａから順番に停止することで合理的に被搬送物を搬送できる。
【００４３】
したがって、上記したように電源器１１が支配する駆動用モータ１４の最上流側から停止できる構成とすることで、電源器１１の最大容量を縮減しても、過大な電流を必要とした場合のコンベア装置１に起こる不具合等を解消することができる。さらに、搬送方向下流側の搬送を優先的に行う制御であるため、コンベア装置１の中途で被搬送物同士が衝突することなく効率的に搬送することができる。言い換えれば、各電源器１１の最大容量を縮減しても、上記した制御により短時間の搬送を合理的に行えるため、コンベア装置１全体としてコストの削減を実行することが可能である。
さらに本実施形態では、電力の供給を停止した駆動用モータ以外の駆動用モータが設けられたゾーンに被搬送物が存在しなくなり、電流監視手段１２により過大な電流値が検知されなくなったことを条件として、停止中の駆動用モータに電力を供給することとしたので、過負荷状態が確実に解消した後に通常運転を再開することができる。そのためスイッチ１５の開閉が頻繁に繰り返されるといった不具合はない。
【００４４】
本実施形態のコンベア装置１は、３パーティ構成の回路を示したが、本発明はこれに限定されるわけではない。
例えば、２パーティや４パーティ以上であっても構わない。
【図面の簡単な説明】
【００４５】
【図１】本発明に係るゾーン制御式コンベア装置の構成を示す平面図である。
【図２】本発明に係るゾーン制御式コンベア装置に採用される電源器の接続を示す回路図である。
【図３】電流監視手段１２Ｂが過大電流を検知した場合の最上流のモータのみを停止した際の電流の流れ及び被搬送物の搬送状況を示す説明図（ａ），（ｂ），（ｃ）である。
【図４】電流監視手段１２Ｂが過大電流を検知した場合の最上流のモータに加えその下流側のモータも順番に停止する際の電流の流れ及び被搬送物の搬送状況を示す説明図（ａ），（ｂ），（ｃ）である。
【図５】本実施例における電源器が支配するモータを制御するフローチャートである。
【図６】従来技術によりモータが制御される際の電流の流れ及び被搬送物の搬送状況を示す説明図（ａ），（ｂ）である。
【符号の説明】
【００４６】
１    コンベア装置
１１    電源器
１２    電流監視手段
１３    上位制御手段
１４    駆動用モータ
１５    リレースイッチ
１６    被搬送物検知手段
【図１】
2010006526.tif 000003
【図２】
2010006526.tif 000004
【図３】
2010006526.tif 000005
【図４】
2010006526.tif 000006
【図５】
2010006526.tif 000007
【図６】
2010006526.tif 000008